(57)【要約】【課題】本発明は、安全性が高く小型化を図ることのできる洗車機を提供する。【解決手段】被洗浄車両ＣＡを跨ぐ洗車機本体１の上部に被洗浄車両ＣＡの上面を洗浄するトップブラシ４を配した洗車機ＷＡにおいて、トップブラシ４を回転させる回転モータ６０と、洗車機本体１に昇降可能に取り付けられるとともに前後の両端部が上方に傾斜した傾斜面７２ａ、７２ｃを有する案内板７２が設けられる昇降部６１Ｂと、トップブラシ４の回転軸４Ａを軸支するとともに案内板７２上を転動して揺動する揺動ローラ４３ａ、４３ｂを有した支持部４３と、を備える。【選択図】図７
2016049937.tif 000002
【特許請求の範囲】
【請求項１】
被洗浄車両を跨ぐ洗車機本体の上部に前記被洗浄車両の上面を洗浄するトップブラシを配した洗車機において、
前記トップブラシを回転させる回転モータと、
前記洗車機本体に昇降可能に取り付けられるとともに前後の両端部が上方に傾斜した傾斜面を有する案内板が設けられる昇降部と、
前記案内板上を転動して揺動する揺動ローラを有するとともに前記トップブラシの回転軸を軸支する支持部と、を備えることを特徴とする洗車機。
【請求項２】
前記揺動ローラの揺動位置を検知する検知部を備え、
前記揺動ローラが前記傾斜面上の所定位置に配されたことを前記検知部により検知して前記トップブラシの異常負荷を判別することを特徴とする請求項１に記載の洗車機。
【請求項３】
前記トップブラシに対して一方の側方に前記回転モータが配置され、他方の側方に前記昇降部及び前記支持部が配置されたことを特徴とする請求項１又は請求項２に記載の洗車機。
【請求項４】
一対の前記揺動ローラが前後に並設され、前記案内板が前後の前記傾斜面間に水平な平面部を有し、前記トップブラシの無負荷時に前記揺動ローラが前記傾斜面と前記平面部との境界上に配されることを特徴とする請求項１〜請求項３のいずれかに記載の洗車機。
【請求項５】
前記トップブラシが回転軸を形成するシャフトの周面に布製のブラシ体を取り付けて形成されることを特徴とする請求項１〜請求項４のいずれかに記載の洗車機。
【請求項６】
前記洗車機本体が上下に延びる一対のガイドレールを有し、
前記昇降部が前記ガイドレール間に嵌合して上下に配される一対の第１ガイドローラと、夫々の前記ガイドレールの外面上を転動する一対の第２ガイドローラとを有することを特徴とする請求項１〜請求項５に記載の洗車機。
【発明の詳細な説明】
【技術分野】
【０００１】
本発明は、給油所等に設置して被洗浄車両の洗車を行う洗車機に関する。
【背景技術】
【０００２】
給油所等に設置される従来の洗車機は特許文献１に開示される。この洗車機は被洗浄車両の前後に開口部が形成された門型の洗車機本体を備えている。洗車機本体が被洗浄車両を跨いで被洗浄車両に対して前後に相対移動する。
【０００３】
洗車機本体には被洗浄車両の上面を洗浄するトップブラシが設けられる。トップブラシは洗車機本体に設けたガイドレールに沿って昇降する昇降部にアーム部材を介して連結される。アーム部材は上下方向に延びて上端部を昇降部に軸支され、下端部にトップブラシを軸支する。これにより、トップブラシを被洗浄車両の上面に沿って移動させながらブラシを回転して洗浄することができる。
【０００４】
このとき、アーム部材の回動によってトップブラシが前後方向に揺動する。このため、洗車機本体が前後方向に移動して被洗浄車両に当接するトップブラシの負荷が大きくなると、トップブラシが被洗浄車両から離れる方向に揺動する。これにより、トップブラシの過負荷を防止して洗車機の安全性を向上することができる。
【先行技術文献】
【特許文献】
【０００５】
【特許文献１】特開２０１３−１１９２８７号公報
【発明の概要】
【発明が解決しようとする課題】
【０００６】
しかしながら、上記従来の洗車機によると、安全のためにトップブラシの前後方向の揺動範囲を大きくすると、アーム部材が上下方向に長くなる。このため、洗車機が大型になる問題があった。
【０００７】
本発明は安全性が高く小型化を図ることのできる洗車機を提供することを目的とする。
【課題を解決するための手段】
【０００８】
上記目的を達成するために本発明は、被洗浄車両を跨ぐ洗車機本体の上部に前記被洗浄車両の上面を洗浄するトップブラシを配した洗車機において、前記トップブラシを回転させる回転モータと、前記洗車機本体に昇降可能に取り付けられるとともに前後の両端部が上方に傾斜した傾斜面を有する案内板が設けられる昇降部と、前記案内板上を転動して揺動する揺動ローラを有するとともに前記トップブラシの回転軸を軸支する支持部と、を備えることを特徴としている。
【０００９】
この構成によると、洗車機本体が被洗浄車両に対して前後方向に相対移動しながらトップブラシを用いて洗浄を行う。このとき、トップブラシが被洗浄車両に当接すると、トップブラシを軸支する支持部の揺動ローラが昇降部に設けられた案内板を前後に転動してトップブラシが前後方向に揺動する。
【００１０】
また、本発明は上記構成の洗車機において、前記揺動ローラの揺動位置を検知する検知部を備え、前記揺動ローラが前記傾斜面上の所定位置に配されたことを前記検知部により検知して前記トップブラシの異常負荷を判別することを特徴としている。
【００１１】
また、本発明は上記構成の洗車機において、前記トップブラシに対して一方の側方に前記回転モータが配置され、他方の側方に前記昇降部及び前記支持部が配置されたことを特徴としている。
【００１２】
また、本発明は上記構成の洗車機において、一対の前記揺動ローラが前後に並設され、前記案内板が前後の前記傾斜面間に水平な平面部を有し、前記トップブラシの無負荷時に前記揺動ローラが前記傾斜面と前記平面部との境界上に配されることを特徴としている。
【００１３】
また、本発明は上記構成の洗車機において、前記トップブラシが回転軸を形成するシャフトの周面に布製のブラシ体を取り付けて形成されることを特徴としている。
【００１４】
また、本発明は上記構成の洗車機において、前記洗車機本体が上下に延びる一対のガイドレールを有し、前記昇降部が前記ガイドレール間に嵌合して上下に配される一対の第１ガイドローラと、夫々の前記ガイドレールの外面上を転動する一対の第２ガイドローラとを有することを特徴としている。
【００１５】
この構成によると、第１ガイドローラがガイドレールの内面上を転動するとともに、第２ガイドローラがガイドレールの外面上を転動する。第２ガイドローラは一対設けられており、夫々のガイドレールの外面を転動するため、昇降部は前後方向の姿勢を保ちながら案内される。
【発明の効果】
【００１６】
本発明によると、トップブラシを軸支する支持部の揺動ローラが昇降部に設けられた案内板を前後に転動してトップブラシが前後方向に揺動する。これにより、トップブラシの揺動機構を上下方向に小型化しながらトップブラシを前後方向に揺動することができる洗車機を提供できる。
【図面の簡単な説明】
【００１７】
【図１】本発明の第１実施形態に係る洗車機の全体構成を示す側面図。
【図２】本発明の第１実施形態に係る洗車機本体の構成を示す正面図。
【図３】本発明の第１実施形態に係る洗車機本体の要部構成を示す正面図。
【図４】本発明の第１実施形態に係る洗車機本体の右側方の昇降部を側方から示す側面図。
【図５】本発明の第１実施形態に係る洗車機本体の左側方の昇降部を示す正面断面図。
【図６】本発明の第１実施形態に係る洗車機本体の左側方の昇降部を示す上面断面図。
【図７】本発明の第１実施形態に係る洗車機本体の左側方の昇降部を示す左側面断面図。
【図８】本発明の第１実施形態に係る洗車機本体の支持部の動作を示す説明図。
【図９】本発明の第１実施形態に係る洗車機本体の支持部の動作を示す説明図。
【図１０】本発明の第１実施形態に係る洗車機本体の支持部の動作を示す説明図。
【図１１】本発明の第２実施形態に係る洗車機本体の左側方の昇降部を示す側面図。
【発明を実施するための形態】
【００１８】
本発明の第１実施形態を図面を参照して説明する。図１、図２は本実施形態の洗車機を示す側面図、正面図である。洗車機ＷＡは洗車機本体１を備え、洗車機本体１の進入経路上にはリモートパネル７Ａが配される。被洗浄車両ＣＡはリモートパネル７Ａの面前で停車し、リモートパネル７Ａの操作によって洗車の受け付け等を行う。
【００１９】
洗車機本体１は前後に開口し、被洗浄車両ＣＡを跨ぐ門型に形成される。洗車機本体１の底面には地面に設けられた左右一対のレール２上に配される車輪３が設けられる。これにより、洗車機本体１はレール２上を走行して被洗浄車両ＣＡに対して前後に相対移動する。
【００２０】
洗車機本体１には被洗浄車両ＣＡをブラッシングする複数の回転するブラシを設けている。ブラシはトップブラシ４、サイドブラシ５及びロッカーブラシ６から成っている。トップブラシ４は被洗浄車両ＣＡの上面を洗浄し、水平な回転軸４Ａ（図３参照）を形成するシャフト４Ｂに布（織布、編布、不織布等）や樹脂繊維から成るブラシ毛４１を放射状に固着して形成される。
【００２１】
サイドブラシ５は左右一対設けられ、被洗浄車両ＣＡの両側面と前後面に摺動して被洗浄車両ＣＡを洗浄する。ロッカーブラシ６は左右一対設けられ、被洗浄車両ＣＡのタイヤを含む側面下部を洗浄する。サイドブラシ５及びロッカーブラシ６もトップブラシ４と同様の回転軸及びブラシ毛を有している。
【００２２】
洗車機本体１の一方の側方には洗剤やワックス等の各種液剤を貯液する複数の貯液タンク（不図示）を収納するタンク収納部５０が配される。タンク収納部５０の上方には市水及び各貯液タンクからの液剤を電磁弁等を介して分配する分配配管部５１が設けられる。分配配管部５１には第１、第２浄水ノズル１１、１３、第１、第２洗剤ノズル１２、１５、撥水コートノズル１４、ワックスノズル１６が導出される。
【００２３】
第１、第２浄水ノズル１１、１３は洗車機本体１の手前側及び奥側にそれぞれ配され、被洗浄車両ＣＡに対して市水を噴射する。第１、第２洗剤ノズル１２、１５は洗車機本体１の手前側及び奥側にそれぞれ配され、被洗浄車両ＣＡに対して洗剤を噴射する。撥水コートノズル１４は洗車機本体１の奥側に配され、被洗浄車両ＣＡに対して撥水コート剤を噴射する。ワックスノズル１６は洗車機本体１の奥側に配され、被洗浄車両ＣＡに対してワックスを噴射する。
【００２４】
また、洗車機本体１には被洗浄車両ＣＡを乾燥させるトップ送風ノズル２１とサイド送風ノズル２２とを設けている。洗車機本体１の中央上部にはトップ送風ノズル２１が設けられ、両側方にはサイド送風ノズル２２が設けられる。トップ送風ノズル２１及びサイド送風ノズル２２はブロワ２０からの送風を被洗浄車両ＣＡに対して吹き付けて乾燥させる。
【００２５】
洗車機本体１の前面上部には車両センサ８が設けられている。車両センサ８は光電センサや超音波センサ等から成り、洗車機本体１に進入する被洗浄車両ＣＡの外面形状を検知する。
【００２６】
洗車機本体１の一方の側方の前面には操作パネル７が配される。操作パネル７はリモートパネル７Ａと同様の操作ボタンを備え、被洗浄車両ＣＡから降車したユーザ等の操作により洗車の受け付けや洗車条件の設定を行う。
【００２７】
洗車条件の設定としてはシャンプー、ワックス掛け、撥水コート等を水洗いに追加するボタンが操作パネル７及びリモートパネル７Ａに設けられる。また、高級なシャンプー、高級なワックス、高級な撥水コート、特殊なコート等を行うボタンも設けられている。さらに、フロントガード有り、フェンダーポール有り、ドアミラー有り、リヤワイパー有り、該当装備品無し等の装備品設定ボタンが設けられている。
【００２８】
図３は洗車機本体１のトップブラシ４の要部構成を示す正面図であり、図４は右側方の昇降部６１Ａを示す側面図である。トップブラシ４のシャフト４Ｂは左右方向に延び、左右に設けられた昇降部６１によって回転可能に支持され、トップブラシ４の回転軸４Ａを形成する。トップブラシ４を回転させる回転モータ６０は右側方に配されている。回転モータ６０は伝達機構５８を介してトップブラシ４のシャフト４Ｂに連結される。回転モータ６０の駆動により、トップブラシ４がシャフト４Ｂを中心に回転する。
【００２９】
トップブラシ４を支持する昇降部６１はワイヤ６３により吊り下げられ、トップブラシ４と被洗浄車両ＣＡとの距離が一定に維持される。右側方の昇降部６１Ａの上部はワイヤ６３Ａに接続され、昇降部６１Ａの上方に配される滑車６４Ａを介して巻取部６６へ接続される。左側方の昇降部６１Ｂの上部はワイヤ６３Ｂに接続され、昇降部６１Ｂの上方に配される滑車６４Ｂ及び滑車６４Ａを介して巻取部６６へ接続される。
【００３０】
巻取部６６は昇降モータ６５のモータ軸（不図示）と連結している。昇降モータ６５の駆動によってワイヤ６３が巻回される。これにより、昇降部６１Ａ、６１Ｂが昇降する。
【００３１】
洗車機本体１の両側部には上下方向に延びるガイドレール５９が設けられる。ガイドレール５９は水平断面図がコ字状に形成され、レール５９Ａ、５９Ｃと連結部５９Ｂを備える。レール５９Ａとレール５９Ｃとは連結部５９Ｂの前後方向の両端に平行に対向して配される。
【００３２】
昇降部６１Ａ、６１Ｂには上下に配される第１ガイドローラ６２Ａ、６２Ｂが夫々軸支されている。また、第１ガイドローラ６２Ａ、６２Ｂの間には補助ローラ６２Ｃが軸支されている。第１ガイドローラ６２Ａ、６２Ｂは左右方向に延びる回転軸を中心に回転し、補助ローラ６２Ｃは前後方向に延びる回転軸を中心に回転する。これにより、第１ガイドローラ６２Ａ、６２Ｂはレール５９Ａ、５９Ｃ上を転動する。また、補助ローラ６２Ｃは連結部５９Ｂ上を転動する。したがって、昇降部６１Ａ、６１Ｂをガイドレール５９に沿って上下に円滑に移動させることができる。
【００３３】
図５、図６、図７は左側方の昇降部６１Ｂの正面断面図、上面断面図、左側面断面図である。昇降部６１Ｂは箱状のホルダ７０を備え、ホルダ７０の左側面７０ｂに第１ガイドローラ６２Ａ、６２Ｂ及び補助ローラ６２Ｃ取り付けられている。
【００３４】
ホルダ７０内は案内板７２を介して上下に仕切られ、案内板７２は水平な平面部７２ｂの前後の両端部に傾斜面７２ａ、７２ｂを有している。傾斜面７２ａは前方上方に傾斜し、傾斜面７２ｃは後方上方に傾斜している。
【００３５】
案内板７２の上面には支持部４３が配されている。支持部４３はホルダ７０内の一端に一対の揺動ローラ４３ａ、４３ｂを備える。揺動ローラ４３ａ、４３ｂの回転軸は左右方向に延びており、揺動ローラ４３ａ、４３ｂが案内板７２上を前後方向に転動する。
【００３６】
また、支持部４３の他端はホルダ７０の右側面７０ａの一部に開口する開口部７１を介してホルダ７０の外部に突出し、シャフト４Ｂを軸支している。これにより、揺動ローラ４３ａ、４３ｂによって支持部４３がトップブラシ４と一体に前後方向に揺動する。これにより、トップブラシ４の揺動機構を上下方向に小型化することができる。
【００３７】
なお、揺動ローラ４３ａ、４３ｂは前後方向及び左右方向にずらして配され、揺動ローラ４３ａが揺動ローラ４３ｂの前方かつ右側方に位置する。これにより、支持部４３を案内板７２に沿って前後に円滑に移動させることができる。また、案内板７２には検知部４５が設けられている。検知部４５は揺動ローラ４３ｂが傾斜面７２ｃ上の所定位置に配されたことを検知してトップブラシ４の異常負荷を判別する。
【００３８】
また、支持部４３は弾性的な付勢部材であるコイルバネ４４を介してホルダ７０の底面７０ｃに連結されている。これにより、支持部４３は鉛直方向下向きに付勢された状態で保持される。コイルバネ４４の上端は揺動ローラ４３ａ、４３ｂの前後方向及び左右方向の中間位置に支持部４３から延びるフック部４３ｃに掛止されている。また、コイルバネ４４の下端は傾斜面７２ａ、７２ｃと平面部７２ｂとの境界７２ｅ、７２ｆの中間位置で平面部７２ｂの前後方向の中央の鉛直な基準面ｈ（図７参照）上に掛止されている。
【００３９】
なお、案内板７２の中央部には貫通孔７３が形成され、コイルバネ４４は貫通孔７３を通る。また、ホルダ７０の右側面７０ａに開口する開口部７１も前後方向に延びて開口しており、ホルダ７０と支持部４３との接触によって支持部４３の前後方向の移動が制限されることはない。
【００４０】
トップブラシ４が無負荷の状態にある中立状態において、揺動ローラ４３ａは境界７２ｅ上に配され、揺動ローラ４３ｂは境界７２ｆ上に配される。これにより、支持部４３に所定以上の外力が前後方向に付加されなければ、支持部４３はコイルバネ４４の付勢力に抗して傾斜面７２ａや傾斜面７２ｃを乗り上げない。また、支持部４３が傾斜面７２ａ、７２ｃを乗り上げた場合でも支持部４３に付加された外力が無くなると、コイルバネ４４の付勢力により支持部４３は中立状態の位置に戻る。
【００４１】
したがって、トップブラシ４を前後方向に揺動させようとする外力が小さいときはコイルバネ４４の付勢力により、トップブラシ４の揺動を抑制して中立状態を維持することができる。これにより、ブラシ素材のバラツキ、ブラシパイプの真円度、ブラシの水の含み方、ブラシの取付け精度等を原因として発生するトップブラシ４のフラツキやブレを抑制することができる。したがって、トップブラシ４の回転が安定して洗い残しの発生を抑制することができる。
【００４２】
なお、コイルバネ４４は省略してもよい。この場合においても、揺動ローラ４３ａは境界７２ｅ上に配され、揺動ローラ４３ｂは境界７２ｆ上に配されているため、支持部４３は所定の弱い外力が前後方向に付加されても傾斜面７２ａを乗り上げず、中立状態を保つことができる。また、支持部４３が傾斜面７２ａ、７２ｃの一方に乗り上げた場合でも支持部４３に付加された外力が無くなると、揺動ローラ４３ａ、４３ｂの一方が傾斜面７２ａ、７２ｃを下方向に転動して支持部４３は中立状態の位置に戻る。
【００４３】
図８〜図１０は支持部４３の動作を示す説明図である。図８に示すように、支持部４３に付加される外力が無い場合、コイルバネ４４の上端が基準面ｈ上に位置して中立状態が保持される。
【００４４】
また、図９に示すように、支持部４３に後方向に外力が付加されるとコイルバネ４４の付勢力に抗して揺動ローラ４３ｂが傾斜面７２ｃを乗り上げる。しかし、図９の状態では揺動ローラ４３ｂが予め設定された所定位置を超えていないため、検知部４５はトップブラシ４には異常負荷が掛かっていないと判定する。
【００４５】
また、図１０に示すように、図９の状態より更に大きな外力が支持部４３に付加されると支持部４３は傾斜面７２ｃを更に大きく乗り上げる。このとき、検知部４５は揺動ローラ４３ｂが予め設定された所定位置を超えたことを検知し、トップブラシ４に異常負荷が掛かっていると判定する。検知部４５が異常負荷を検知するとトップブラシ４の駆動を停止する。これにより、トップブラシ４の被洗浄車両ＣＡとの当接による過負荷を抑制することができる。したがって、トップブラシ４を被洗浄車両ＣＡに軽く当接させた状態で洗浄を行い、トップブラシ４の異常負荷により車両が破損するのを防ぐことができる。
【００４６】
本実施形態によると、トップブラシ４を軸支する支持部４３の揺動ローラ４３ａ、４３ｂが昇降部６１Ｂに設けられた案内板７２を前後に転動してトップブラシ４が前後方向に揺動する。これにより、トップブラシの揺動機構を上下方向に小型化しながらトップブラシ４を前後方向に揺動することができる洗車機ＷＡを提供できる。
【００４７】
また、案内板７２は前後の両端部が上方に傾斜した傾斜面７２ａ、７２ｃを有し、トップブラシ４に前後方向に所定以上の外力が付加されなければ傾斜面７２ａ、７２ｃの一方に揺動ローラ４３ａ、４３ｂが乗り上げない。このため、トップブラシ４の前後方向の小さな揺動が抑えられ、トップブラシ４のフラツキやブレの発生を防いでトップブラシの回転を安定させることができる。
【００４８】
また、揺動ローラ４３ｂの揺動位置を検知する検知部４５を備え、揺動ローラ４３ａ、４３ｂが傾斜面７２ａ、７２ｃ上の所定位置に配されたことを検知部４５が検知してトップブラシ４の異常負荷を判別する。これにより、検知部４５がトップブラシ４の異常負荷を判別した場合、トップブラシ４の駆動を停止して、トップブラシ４により車両を破損することを抑制して安全に洗車することができる。
【００４９】
また、トップブラシ４に対して一方の側方に回転モータ６０が配置され、他方の側方に昇降部６１Ｂ及び支持部４３が配置されたことにより、回転モータ６０の駆動時の振動によって支持部４３が前後方向に揺動するのを防止することができる。
【００５０】
また、一対の揺動ローラ４３ａ、４３ｂが前後に並設され、案内板７２が前後の傾斜面７２ａ、７２ｃ間に水平な平面部７２ｂを有し、トップブラシ４の無負荷時に揺動ローラ４３ａ、４３ｂが傾斜面７２ａ、７２ｃと平面部７２ｂとの境界７２ｅ、７２ｆ上に配される。これにより、揺動ローラ４３ａ、４３ｂは弱い外力が前方向に付加されると傾斜面７２ａを乗り上げず、中立状態を保つ。また、支持部４３に付加される外力が無くなると、揺動ローラ４３ａ、４３ｂの一方が傾斜面７２ａ、７２ｃを下方に転動して中立状態に戻る。
【００５１】
このため、簡易な構造により、トップブラシ４を前後方向に揺動させようとする外力が小さいときはトップブラシ４の揺動を抑制して中立状態を維持することができる。
【００５２】
また、トップブラシ４が回転軸４Ａを形成するシャフト４Ｂの周面に布製のブラシ体を取り付けて形成される。これにより、トップブラシ４に印加される回流電流が不安定な布製のブラシにおいても検知部４５がトップブラシ４の異常負荷を判別することができる。
【００５３】
＜第２実施形態＞
図１１は第２実施形態に係る左側方の昇降部６１Ｂを示す断面図である。なお、第１実施形態と同一部分は同一符号を付して説明を省略する。第１実施形態に対して第２実施形態は昇降部６１Ａ、Ｂに第２ガイドローラ６２Ｄ、６２Ｅが夫々軸支されている。第２ガイドローラ６２Ｄ、６２Ｅは左右方向に延びる回転軸を中心に回転する。また、第２ガイドローラ６２Ｄはレール５９Ａの外面上を転動し、第２ガイドローラ６２Ｅはレール５９Ｃの外面上を転動する。
【００５４】
これにより、昇降部６１Ａ、６１Ｂはガイドレール５０の前後方向に対してガタツキがより抑制された状態で昇降することがきる。これにより、トップブラシ４を安定して回転させることができる。
【産業上の利用可能性】
【００５５】
本発明によると、給油所等に設置して被洗浄車両の洗車を行う洗車機に利用することができる。
【符号の説明】
【００５６】
１              洗車機本体
４              トップブラシ
４Ａ            回転軸
４Ｂ            シャフト
５              サイドブラシ
６              ロッカーブラシ
７              操作パネル
７Ａ            リモートパネル
２３            乾燥部
４３            支持部
４３ａ、４３ｂ  揺動ローラ
４４            コイルバネ
５９            ガイドレール
６０            回転モータ
６１            昇降部
６２Ａ、６２Ｂ  第１ガイドローラ
６２Ｃ          補助ローラ
６２Ｄ、６２Ｅ  第２ガイドローラ
６３Ａ、６３Ｂ  ワイヤ
６４Ａ、６２Ｂ  滑車
６５            昇降モータ
６６            巻取部
７０            ホルダ
７１            開口部
７２            案内板
７２ａ、７２ｃ  傾斜面
７２ｂ          平面部
７２ｅ、７２ｆ  境界
７３            貫通孔
ＣＡ            被洗浄車両
Ｍ              モータ軸
ＷＡ            洗車機
【図１】
2016049937.tif 000003
【図２】
2016049937.tif 000004
【図３】
2016049937.tif 000005
【図４】
2016049937.tif 000006
【図５】
2016049937.tif 000007
【図６】
2016049937.tif 000008
【図７】
2016049937.tif 000009
【図８】
2016049937.tif 000010
【図９】
2016049937.tif 000011
【図１０】
2016049937.tif 000012
【図１１】
2016049937.tif 000013